(57)【要約】本発明は、空気流路を交差して移動し、当該空気流路内の空気の流量又は送風方向を制御するスライドドアを有するスライドドア装置において、スライドドア装置の構造を抜本的に見直し、スライドドアの案内溝内での振動を防ぐことを目的とする。本発明は、空調ケースの内側に形成された案内溝に挿入されるスライドドアの摺動部にテンション手段を設けて、案内溝との間にテンションを付加することにより構成される。
2004108449.tif 000002
【特許請求の範囲】
【請求項１】
空気流路を交差して移動し、当該空気流路内の空気の流量又は送風方向を制御するスライドドアを有し、
前記スライドドアは、両端部位が空調ケースの案内溝内に挿入され且つ移動する摺動部として構成され、この摺動部が前記案内溝との間にテンションを付加させるテンション手段を備えたことを特徴とする空調装置用のスライドドア装置。
【請求項２】
加熱用熱交換器の上流側の空気流路と交差して配置され、当該加熱用熱交換器を通過する空気とバイパスする空気の割合を調整するスライドドアを有し、
前記スライドドアは、両端部位が空調ケースの案内溝内に挿入され且つ移動する摺動部として構成され、この摺動部が前記案内溝との間にテンションを付加させるテンション手段を備えたことを特徴とする空調装置用のスライドドア装置。
【請求項３】
前記テンション手段は、中心に点接触突部、その周りに隙間を持つ線状の非接触突部より成ることを特徴とする請求項１又は２記載の空調装置用のスライドドア装置。
【請求項４】
前記隙間は、１ｍｍ以下の隙間であることを特徴とする請求項３記載の空調装置用のスライドドア装置。
【請求項５】
前記点接触突部は、前記非接触突部に囲まれる部位に形成のテンションブリッジにより支えるようにしたことを特徴とする請求項３記載の空調装置用のスライドドア装置。
【請求項６】
前記摺動部が凸部と凹部との連続したジグザグ形状としたことを特徴とする請求項１，２又は３記載の空調装置用のスライドドア装置。
【請求項７】
前記スライドドアは、加熱用熱交換器の上流側に空気流路と交差して配置され、当該加熱用熱交換器を通過する空気と前記加熱用熱交換器をバイパスする空気との割合を調整するものであり、
前記スライドドアにスライド方向で直線状に連なる縦方向リブを形成したことを特徴とする請求項１記載の空調装置用のスライドドア装置。
【請求項８】
前記スライドドアにスライド方向と直交する直線状の横方向リブを形成したことを特徴とする請求項７記載の空調装置用のスライドドア装置。
【請求項９】
前記横方向リブは、一つの凸状平面部により構成されたことを特徴とする請求項８記載の空調装置用のスライドドア装置。
【請求項１０】
前記横方向リブは、複数の凹状平面部が連続して形成されて成ることを特徴とする請求項８記載の空調装置用のスライドドア装置。
【請求項１１】
前記横方向リブは、前記縦方向リブを挟んで、重ならないように複数の凹状平面部をずらして形成したことを特徴とする請求項１０記載の空調装置用のスライドドア装置。
【請求項１２】
前記スライドドアには、縦方向に凸状平面部と凹状平面部とを交互に形成したことを特徴とする請求項７記載の空調装置用のスライドドア装置。
【請求項１３】
前記スライドドアには、斜め方向にリブを設けない構造としたことを特徴とする請求項７記載の空調装置用のスライドドア装置。
【請求項１４】
前記スライドドアに近接して当該スライドドアを移動させる回転可能に設けられたシャフトを更に備え、
前記シャフトの周面から一対の雄状係合部が突出していると共に、前記スライドドアの一対のラックが形成された面に前記一対の雄状係合部と係合可能な一対の雌状係合部が形成され、前記雄状係合部と雌状係合部は、当該両者の係合が正式な場合以外は係合不能とする係合構造としたことを特徴とする請求項１記載の空調装置用のスライドドア装置。
【請求項１５】
前記スライドドアは、加熱用熱交換器の上流側に空気流路と交差して配置されて、当該加熱用熱交換器を通過する空気と前記加熱用熱交換器をバイパスする空気との割合を調整するものであり、
前記スライドドアに近接して当該スライドドアを移動させる回転可能に架設されたシャフトを更に備え、
前記シャフトの周面から一対の雄状係合部が突出していると共に、前記スライドドアの一対のラックが形成された面に前記一対の雄状係合部と係合可能な一対の雌状係合部が形成され、前記雄状係合部と雌状係合部は、当該両者の係合が正式な場合以外は係合不能とする係合構造としたことを特徴とする請求項１記載の空調装置用のスライドドア装置。
【請求項１６】
前記一対の雄状係合部の大きさを相互に異ならせると共に、前記一対の雌状係合部の大きさも前記一対の雄状係合部に対応して相互に異ならせたことを特徴とする請求項１４又は１５記載の空調装置用のスライドドア装置。
【請求項１７】
前記一対の雄状係合部の巾を相互に相違させると共に、前記一対の雌状係合部の巾も前記雄状係合部に対応して相互に相違させたことを特徴とする請求項１４，１５又は１６記載の空調装置用のスライドドア装置。
【請求項１８】
前記スライドドアの端部に設けられ、前記スライドドアの終端位置で前記空気流路を構成する部材に設けられた当接部に移動方向で圧接するシール材を更に備え、
このシール材は前記スライドドアから移動方向に突出しており、その縦寸法の横寸法に対する比が１以上で２以下の範囲内にあることを特徴とする請求項１記載の空調装置用のスライドドア装置。
【請求項１９】
前記スライドドアは、加熱用熱交換器の上流側の空気流路と交差して配置され、当該加熱用熱交換器を通過する空気とバイパスする空気の割合を調整するものであり、
前記スライドドアの端部に設けられ、前記スライドドアの終端位置で前記空気流路を構成する空調ケースに設けられた当接部に移動方向で圧接するシール材を備え、
このシール材は前記スライドドアから移動方向に突出しており、その縦寸法の横寸法に対する比が１以上で２以下の範囲内にあることを特徴とする請求項１記載の空調装置用のスライドドア装置。
【請求項２０】
前記シール材の横寸法が５ｍｍ以上としたことを特徴とする請求項１９記載の空調装置用のスライドドア装置。
【請求項２１】
空気流路が内部に形成された空調ケースと、加熱用熱交換器の上流側にて空気流路の両側側面を構成する前記空調ケースに設けられた案内溝に取り付けられたスライドドアと、このスライドドアに近接して前記空気流路の側面を構成する前記空調ケースに回転可能に架設されたシャフトとを有して構成され、
前記スライドドアの空気流路に対し風上側に形成されたラックと、前記シャフトに形成されたピニオンとを噛合し連動させることにより、前記スライドドアを前記案内溝に沿って摺動させると共に、
前記スライドドアのラックと前記シャフトに形成されたピニオンとは、前記案内溝の周縁から延出したカバー部材により覆われていることを特徴とする空調装置用のスライドドア装置。
【請求項２２】
前記カバー部材は、前記空調ケースに一体に形成され、前記カバー部材の前記案内溝の周縁からの延出方向は、前記空調ケースに対し空気流路の側面を構成する壁に沿っていることを特徴とする請求項２１に記載の空調装置用のスライドドア装置。
【請求項２３】
加熱用熱交換器の上流側に空気流路と交差して配置され、当該加熱用熱交換器を通過する空気と前記加熱用熱交換器をバイパスする空気との割合を調整するスライドドアを備え、
該スライドドアの移動方向を自重が付加される上下方向に設定すると共にその開度を駆動する手段としてケーブルを伸縮させ、このスライドドアを重力に逆らう方向に移動時に、前記ケーブルを引き方向とすることを特徴とする空調装置用のスライドドア装置。
【請求項２４】
加熱用熱交換器の上流側に空気流路と交差して配置され、当該加熱用熱交換器を通過する空気と前記加熱用熱交換器をバイパスする空気との割合を調整するスライドドアを備え、
該スライドドアの移動方向を自重が付加される上下方向に設定すると共にその開度を駆動する手段としてケーブルを伸縮させ、該スライドドアのセットは、該スライドドアを最も上方に移動させ、その際にケーブルを最も引き伸ばすようにし、該スライドドアの下降を前記ケーブルからの駆動力に自重が付加されるようにしたことを特徴とする空調装置用のスライドドア装置。
【請求項２５】
前記スライドドアが最も上方に移動時には、ヒータコアに送風空気の全量が送られることを特徴とする請求項２３又は２４記載の空調装置用のスライドドア装置。
【請求項２６】
前記ケーブルが最も伸ばされた状態では、ヒータコアに送風空気の全量が送られることを特徴とする請求項２３又は２４記載の空調装置用のスライドドア装置。
【請求項２７】
通風路の側面間に回転可能に架設されると共に両端に形成されて前記通風路を画成する側壁にそれぞれ軸支される軸支部と、この軸支部の内側に配されたピニオンと、このピニオンとピニオンとの間に配された架橋部とを有し、前記架橋部に貫通した通気路が形成されたシャフトを備え、加熱用熱交換器を通過する空気と前記加熱用熱交換器をバイパスする空気との割合を調整するドア本体に対し、前記シャフトのピニオンを、当該ドア本体の通風方向と交差する面に形成されたラックと噛み合わせることで、ドア本体を通風と交差する方向にスライド可能とすると共に、前記シャフトに対し前記ドア本体がスライドできる終端位置に達した時に、前記シャフトの通気路が前記ドア本体のラックが形成された面と略平行になるように、前記シャフトとドア本体とを組付けたことを特徴とする空調装置用のスライドドア装置。
【請求項２８】
空気流路が形成された空調ケースと、前記空調ケースに形成されたガイド部に案内され、前記空気流路と交差する方向にスライドするスライドドアと、このスライドドアに設けられ、前記スライドドアの停止位置で前記空調ケース側に設けられた当接部にスライド方向で圧接するシール部材とを有して構成される空調装置用のスライドドア装置において、
前記シール部材を、前記空調ケースとの間に隙間を形成した状態で移動可能に設けると共に、前記シール部材に、前記当接部との圧接時にスライド方向と異なる方向に変形させて前記空調ケースに密接させる押圧変形部を設けたことを特徴とする空調装置用のスライドドア装置。
【請求項２９】
前記押圧変形部は、前記シール部材の端部に、スライド方向に突設し、前記当接部との圧接時にスライド方向と交差する方向へ弾性的に変形する駄肉部によって構成されることを特徴とする請求項２８記載の空調装置用のスライドドア装置。
【請求項３０】
前記駄肉部は、前記当接部との圧接により、前記ガイド部に当接されるものである請求項２９記載の空調装置用のスライドドア装置。
【請求項３１】
前記空調ケースに、前記シール部材を設けた前記スライドドアの表面と対峙する壁部を設け、前記駄肉部は前記当接部との圧接により前記壁部に当接されるものである請求項２９又は３０記載の空調装置用のスライドドア装置。
【請求項３２】
前記壁部は、前記空調ケースの前記当接部に沿って設けられていることを特徴とする請求項２８記載の空調装置用のスライドドア装置。
【請求項３３】
前記壁部は、当接部に沿って前記スライドドアのスライド方向に立設されたリブによって構成され、前記シール部材は、前記スライドドアのスライド方向の端部に設けられていることを特徴とする請求項３２記載の空調装置用のスライドドア装置。
【請求項３４】
前記壁部は、前記当接部の両脇に沿って設けられ、互いに対峙する壁面が、前記押圧変形部を挿入する開口端から遠ざかるにつれて徐々に近接していることを特徴とする請求項３３記載の空調装置用のスライドドア装置。
【発明の詳細な説明】
【技術分野】
【０００１】  この発明は、主に車両用空調装置に用いられ、空調空気の流れを制御する空調装置用のスライドドア装置に関する。
【背景技術】
【０００２】  自動車空調装置にあって、温度を調節するためにエアミックスドアが用いられている。このエアミックスドアはヒータコアに供給する空気量とこれをバイパスする空気量を変化させる作用を持つもので、構造的には一点支点とするドアで、その開度を変化させる方式が採用されてきた。近年これに対してドアスペースを減少させるためにドアを直線的にスライドさせるいわゆるスライドドアが採用されてきている。【０００３】  例えば、下記の特許文献１には、スライドドアを、その移動を良好にするため、案内溝の巾より多少小さな横巾寸法として、案内溝内に緩嵌した構成が開示されている。【０００４】  また、下記の特許文献２には、スライドドア（エアミックスダンパ６）が、長方形の平板により構成され、その厚みは薄いと共に、横方向両端近くに、縦方向にラック１００が形成され、その両端がガイド溝２６に挿入され、そして、エアミックスダンパ６は、回転軸１０２の回転力にて往復動すべく、ピニオン１０１が前記したエアミックスダンパ６に噛合されている構成が開示されている。【０００５】この特許文献２に示す例では、ヒータ５からの幅射熱による熱変形によりスライドできなくなる欠点を防ぐ目的で、エアミックスダンパ６のヒータ側に熱反射面１０６を形成している。【０００６】さらに、下記の特許文献３には、スライドドア１５は、長方形の平板により構成され、その厚みは薄く可撓性を有すると共に、横方向両端近くに、縦方向にラック１６ａ，１６ｂが形成され、その両端がガイド溝１１ａ，１１ｂに挿入されている。そして、弾性体１９を介して、スライドドア１５がシート面１０ａ，１０ｂ，１０ｃに押し付けられた構成が開示されている。そして、スライドドア１５は、駆動軸２２の回転力にて往復動すべく、ピニオン２１ａ，２１ｂが前記したスライドドア１５のラック１６ａ，１６ｂに噛合されている。【０００７】この特許文献３の例にあっては、空調ユニットの組立時に、駆動軸とスライドドアを組付けるにあたり、該駆動軸とスライドドアの噛合位置や組付方向が適切な状態であることが要求される。それは、駆動軸と外部機器である回転用のアクチュエータとのマッチングの適正のためである。【０００８】  このため、当出願人は、空調ユニットの組立時に、スライドドアと、それを駆動するシャフトとの適切な位置での組付けを保証する位置合わせ機能と、シャフトのスライドドアへの仮保持を行う仮保持機能とを備える発明を既に提案している（特願２００２−３７９９０３）。【０００９】  その構成作用は、シャフト１５に一対の雄状係合部２６を突出させ、またスライドドア２３に一対の雌状係合部２８を形成すると共に、シャフト１５に対し、その通孔２９を形成し、前記ドア本体１５にはラック２４が形成された面に孔３１を形成し、シャフト１５のピニオン１７がラック２４に噛合し、一対の雄状係合部２６と一対の雌状係合部２８が係合することで、位置合わせを行い、そして通孔２９と孔３１を一致させ、しかる後に冶具３４を挿通することで、仮保持が行われるものである。【００１０】また、前述した特許文献１には、空気流路と交差する方向にスライドするスライドドアを備えたスライドドア装置として、エバポレータとヒ��タコアとの間に配設されたエアミックスドアをスライド式にすると共に、このエアミックスドアのドア本体にシール部材を貼着、ドア本体をスライド方向の終端位置においてスライド方向と交差する方向に移動させることで、ケースに形成した当接部にシール部材を押し付ける構成も開示されている。【００１１】この例では、スライドドアが案内溝を移動してスライド方向の終端位置に至ると、該スライドドアをスライド方向と交差する方向に移動させることで、空調ケースに形成した当接部に前記シール材を押し付けて、シール性の向上を図るようにしている。【００１２】さらに、下記の特許文献４に示されるように、空調ユニットの加熱用熱交換器を通過する空気とバイパスする空気との割合を調整するために空気流路を切り換えるスライドドア装置として、スライドドアのラックとシャフトのピニオンとを噛み合わせ、シャフトの回動をスライドドアに伝達することでこのスライドドアを通風方向と交差する方向にスライドさせる構成も既に公知である。もっとも、この空調装置のスライドドア装置では、内外気導入口より導入された空気中に含まれる塵や砂埃等がスライドドアのラックとシャフトのピニオンとの間に噛み込まれ、スライドドアが稼働する際に抵抗となったり異音が発生する可能性があるという不具合の解消までは解決課題として提示していない。【００１３】この点、下記の特許文献５には、ローラユニットの進行方向の前後に可撓性を有する摺接片を設けることで、スライドドアが移動する際に摺接片がレールの案内面上の塵や砂埃等をレールの案内面外に排除し、スライドドアを支持するレール上に塵や砂埃等が堆積するのを防止する構成が示されている。【００１４】ところで、従来の一点支点型のドアにおいては、下記の特許文献６に示されるように、エアミックスドア（板ドア）をケーブルにより駆動するものがあるが、このような構成においては、板状ドアの自重やドアにかかる風圧等に起因した、ドア側から操作部への力の伝達を防止したドア駆動装置で、エアミックスドア４がドア軸４１に一体的に取り付られ、このドア軸４１にウォームホイール４３が固着され、このウォームホイール４の歯車４３４とシャフト４４のウォームギア４４１が噛合され、前記シャフト４４に笠歯車４４２が設けられ、該笠歯車４４２は平歯車４５０に噛合されている。この平歯車４５０はプレート４５に形成され、該プレート４５はケーブル４７に接続されており、このような機構をスライドドアに採用することの適否を検討する必要がある。【００１５】さらに、例えば、下記の特許文献７に示されるように、空調ユニットの加熱用熱交換器を通過する空気とバイパスする空気との割合を調整するために空気流路を切り換えるスライドドア装置として、ドア本体のラックとシャフトのピニオンとを噛み合わせ、シャフトの回動をスライドドアに伝達することでドア本体を通風方向と交差する方向にスライドさせる構成、並びに、当該スライド装置に用いられるシャフトについて、ピニオン間に配された架橋部の径を、通気抵抗の抑制のために、両端の筒状体などに比し相対的に細くした構成については既に公知である。
【特許文献１】特開平１０−２７８５４４号公報
【特許文献２】特開平１０−２９７２４６号公報
【特許文献３】特開２００３−１０４０３２号公報
【特許文献４】特開平１１−２０４５４号公報
【特許文献５】特開平９−３１７３０５号公報
【特許文献６】特開２０００−２０３２４２号公報
【特許文献７】特開２００１−１１３９３６号公報
【発明の開示】
【発明が解決しようとする課題】
【００１６】  しかしながら、特許文献１に示される技術においては、スライドドアの案内溝を良好に摺動させる構造として、前述したように、スライドドアの横巾を案内溝の巾よりも小さくする方法が採用されていることから、空気流路を流れる空気の衝突により振動され、ガタついて、異音が発生する原因ともなるし、また隙間から空気が洩れる原因ともなっていた。
このため、スライドドアの案内溝内を良好に摺動させると共に、スライドドアが案内溝内でガタついて異音が発生することを防止する必要がある。【００１７】  また、一般に、空調ケースは、薄い樹脂で複雑な形状を持つと共に、内部には大きな空気流路を有していることから、空調ケースは変形しやすい。その変形原因として外力による場合が主で、具体的には、車体への取付時に生じる取付足部の変形が上下方向で相違することにより、その応力がケースに及ぶためである。この場合には、ねじれ変形しやすい。また、ヒータコアからの幅射熱による場合もある。つまり、自動車用空調装置の小型化のためスライドドアとヒータコアの間隙を小さくしたというニーズが強く、この場合にヒータコアの幅射熱によりスライドドアが加熱され、ねじれ変形しやすくなる。【００１８】  空調ケースの変形は、あってはならないことではあるが、現実には起きやすい。この場合に、スライドドアが移動する直線の案内溝に影響が出て、曲線状に変形される恐れがある。この結果、直線状のスライドドアが移動する案内溝と接触増となり、抵抗増から、スライドドアの動きに渋りが生じることになる。このスライドドアの動きは、温度コントロールに重要な要素であり、この動きが不能ともなれば、空調制御が出来なくなる重大な問題が発生する。
このため、この発明は、仮に空調ケースが変形し、案内溝が曲がったとしても、スライドドア側で対応して、スムーズな移動を確保する必要がある。【００１９】  また、前述した特願２００２−３７９９０３に示される位置あわせは、雄状係合部２６と雌状係合部２８との係合することで行われ、実施例においては、雄状係合部２６は突片で所定の巾を持ち、また、雌状係合部２８も、前記雄状係合部の突片の所定の巾と対応して同等の所定の巾を有する凹溝である。したがって、一対の雄状係合部２６を一対の雌状係合部２８に逆に組付けることも出来てしまい、誤組付により、シャフトの空調ケースの外における係合形状が異なり、外部機器と結合が出来ない不都合も発生していた。
このため、スライドドアと、このスライドドアを往復動させるシャフトとの位置決めにあたり、誤組付を防止する必要がある。【００２０】さらに、スライドドアにあっては、特許文献１に示されるように、その両端にスライド方向に突出するシール材が設けられるのが一般的である。しかし、横寸法と縦寸法との比をどのような値にするのが良いか考えられていなかった。シール材を縦方向（移動方向）に設置すると、シート代（圧縮代）の許容巾（寸法）が大きくなる利点を持つものである。ところが、シール材の縦方向寸法を無制限に拡大することは、シール材が座屈したり倒れたりし、シール不良となる不都合を引き起こす原因となる。
このため、スライドドアの端部に設けられるシール材の縦寸法の横寸法に対する比を適切に選択することで、確実にシールが得られるスライドドア装置を提供する必要がある。【００２１】また、特許文献５に記載の車両用スライドドアは、レールの案内面が水平である場合には有意義であるが、ラックとギアとを組み合わせて成り、互いに噛み合う複数の歯を有する場合には、塵や砂埃等の排除手段として必ずしも適切な構成ではない。すなわち、シャフトのピニオン側の塵や砂埃等の排除を対象としてはおらず、ラックに対しても歯の開口が狭い凹部に塵や砂埃等が目詰まりし、更には水分等で固形化した場合には傷を付けないために相対的に先端が可撓する必要のある摺接片によって完全に掃き出すことが困難である。【００２２】  このため、スライドドア装置を構成するスライドドアのラックやシャフトのピニオンに対しその歯の凹部に塵や砂埃が侵入すること自体を回避して、内外気導入口より導入された空気中に含まれる塵や砂埃等がスライドドアのラックとシャフトのピニオンとの間に噛み込まれるのを防止する必要がある。【００２３】  また、特許文献６の構成によれば、風圧や自重による影響を受けなくなるが、構造が複雑で、しかも高価であり、採用しがたいものである。エアミックスドアをケーブルで駆動する場合に、エアミックスドアの自重が大きく作用し、操作部の操作レバーの移動方向によって操作力に大きな相違があり、好ましいことではない。また、上下方向に設置にエアミックスドアを引き上げるために、ケーブルを押し方向で使用すると、自重が作用して大きな操作力を有することから、可撓性を持つケーブルに圧縮方向の力が大きくなり、ケーブルが座屈したり、セット不良を起こす原因ともなっていた。
このため、エアミックスドアの操作性の向上、即ち操作にケーブルを用いる駆動系を持つものにおいて、操作の確実化を図るため、ケーブルの座屈を防止する必要がある。【００２４】  さらに、近年においては、シャフトを合成樹脂等で一体的に形成することが要請されるようになってきている。このため、上記した特許文献７のように架橋部の径が細いと材料的に強度が足りないので、架橋部の径を特許文献１等の従来のものに比し相対的に太くする必要性が生じている。【００２５】  もっとも、単に架橋部の径を太くしたのみでは、フルクール時又はフルホット時において、冷却用熱交換器で冷却された空気の一部がドア本体の面に沿って流れた後、開放された側の分岐流路に流れることから、この空気の流れの途中に位置するシャフトの架設部が当該空気の流れに対し通気抵抗となるという不具合が生ずる。【００２６】  このため、シャフトを合成樹脂等の素材で一体的に形成する場合に、その強度を増すためにピニオン間の架橋部の径を従来のものに比し相対的に太くしても、当該架橋部がフルホット時又はフルクール時に通気抵抗となるのを防止したシャフト及びそのシャフトを用いたスライドドア装置を提供する必要がある。【００２７】  さらに、特許文献１の構成においては、ドア本体と当接部との間をシールする場合に、スライド方向と交差する方向にドア本体を移動させる必要があるので、ドア本体の線形的な動きが終端位置付近において確保しにくくなり、また、終端位置からドア本体を動かそうとする場合にはドア本体を空気の流れに抗して動かす必要がある。このため、ドア本体の線形的な動きやスムーズな動きを確保しにくくなる不都合がある。【００２８】  そこで、ドア本体にシール部材を貼着し、このシール部材をスライドドアの停止位置で当接部に対してスライド方向で当接させることが望ましいが、このような構成によれば、スライド方向と交差する方向ではシールが不完全になるので、ドア本体とケースとのシール状態が十分に確保されず、シール部材とケースとの隙間からエア漏れが生じる不都合がある。【００２９】  この場合、ドア本体に貼着するシール部材をケースに向けて突出させ、シール部材をケースに摺接させればケースとの間のエア漏れを防ぐことが可能となるが、このような構成を採用すると、シール部材とケースとの摩擦によりシール部材の耐久性が損なわれると共に摩擦音が発生する不都合がある。また、ドア本体の移動時にシール部材とケースとが接触していると、摺動抵抗も大きくなるので、ドア本体の円滑な動きを阻害する要因にもなる。【００３０】  このため、スライドドアの停止位置においてシール部材と当接部とをスライド方向で当接させる構成において、スライドドアの停止位置でスライドドアとケースとの間の良好なシール状態を確保し、また、シール部材とケースとの摩擦音をなくすと共にシール部材の耐久性を向上させ、さらには、スライドドアの円滑な動きを確保することができるスライドドア装置を提供する必要がある。【００３１】このように、従来のスライドドア装置においては、解決すべき数々の課題があり、スライドドア装置の抜本的な見直しが必要であった。本発明は、このような事情に鑑みてなされたものであり、上述し���課題に対応し得る空調装置用のスライドドア装置を提供することを課題としている。
【課題を解決するための手段】
【００３２】  上記課題を達成するために、この発明に係る空調装置用のスライドドア装置は、空気流路を交差して移動し、当該空気流路内の空気の流量又は送風方向を制御するスライドドアを有し、前記スライドドアは、両端部位が空調ケースの案内溝内に挿入され且つ移動する摺動部として構成され、この摺動部が前記案内溝との間にテンションを付加させるテンション手段を備えたことにある。（請求項１）。これにより、スライドドアが案内溝に緩嵌され摺動されるが、テンション手段にて案内溝との間に適宜なテンションが付加され、適切な摺動抵抗を持ちながら、振動を防ぎ、異音の発生を防止することができる。【００３３】  具体的実施例では、スライドドアは加熱用熱交換器の上流側の空気流路と交差して配置され、当該加熱用熱交換器を通過する空気とバイパスする空気の割合を調整するいわゆるエアミックスドアとして用いたことにある（請求項２）。これによって、前記した請求項１の作用効果を持つエアミックスドアとしてのスライドドアが得られるものである。【００３４】  前記テンション手段は、中心に点接触突部、その周囲に隙間を持つ線状の非接触突部より成ることにある（請求項３）。この隙間は、例えば、１ｍｍ以下にするとよい（請求項４）。このように中心に点接触突部を持つことから、大きな抵抗増とはならず、摺動に影響しない。また使用により点接触部位がヘタルことになっても、その周囲にある非接触突部が前記点接触突部に代わってガタの発生を防止することが出来る。厳密には１ｍｍ以下の隙間が生じるが、案内溝やスライドドアの歪みから、非接触突部が接触するようになり、テンションの付加が継続される。前記点接触突部は、前記非接触突部に囲まれる部位に形成のテンションブリッジにより支えられるようにしたことにあり（請求項５）、このテンションブリッジに弾力を持たせやすい利点を持っており点接触突部のテンション付加に有効である。また、摺動部が凸部と凹部との連続したジグザグ形状としたことにあり（請求項６）、撓みやすい形状となり、且つ軽量化に寄与できる。【００３５】また、上記課題を解決するため、この発明に係る空調装置用スライドドア装置は、加熱用熱交換器の上流側に空気流路と交差して配置されて、当該加熱用熱交換器を通過する空気と前記加熱用熱交換器をバイパスする空気との割合を調整するスライドドアを有し、前記スライドドアのスライド方向に直線状に連なる縦方向リブを形成したことにある（請求項７）。【００３６】  このため、空調ケースの変形から生じる案内溝に変形が生じても、スライドドアには、スライド方向に縦リブが設けられていることから、縦方向への曲には比較的強いが、斜め方向にはリブがなく、曲がりやすく、案内溝のねじれ変形に対応してねじれ変形ができ、スライドドアは案内溝内を渋ることなく移動が出来るものである。【００３７】  また、スライドドアは、スライド方向と直交する直線状の横方向リブを形成したことにある（請求項８）。これにより、横方向への曲には比較的強くなり、前記縦方向リブと横方向リブとで、送風空気圧に対向できるものである。しかし、この横方向リブを設けたとしても斜め方向にはリブがなく、曲がりやすく、案内溝のねじれ変形に対応し��ねじれ変形ができ、スライドドアは案内溝内を渋ることなく移動ができるものである。【００３８】  横方向リブは、一つの凸状平面部により構成されても良いし（請求項９）、複数の凹状平面部が連続して形成され成ることにしても良い（請求項１０）。また、横方向リブは、前記縦方向リブを挟んで、重ならないように複数の凹状平面部をずらして形成しても良い（請求項１１）。なお、請求項８，９にあっては、横方向といえども、曲がりには柔軟性を持たせている。【００３９】  スライドドアには、縦方向に、凸状平面部と凹状平面部との交互に形成したことにあり（請求項１２）、縦方向といえども、曲がりには柔軟性を持たせている。さらに、スライドドアには、斜め方向にリブを設けない構造として（請求項１３）、スライドドアをねじれ易くしている。【００４０】また、この発明に係る空調装置用のスライドドア装置は、スライドドアに近接して当該スライドドアを移動させる回転可能に設けられたシャフトを更に備え、前記シャフトの周面から一対の雄状係合部が突出していると共に、前記スライドドアの一対のラックが形成された面に前記一対の雄状係合部と係合可能な一対の雄状係合部が形成され、前記雄状係合部と雌状係合部は、当該両者の係合が正式な場合以外は係合不能とする係合構造としてもよい（請求項１４）。【００４１】  これにより、シャフトがスライドドアに組付時、誤って組付ようとしても、一対の雄状係合部と一対の雌状係合部とが係合できずに、組付られない。即ち誤組付が防がれ、しかも仮保持も出来ないものである。【００４２】  具体的実施例では、スライドドアは加熱用熱交換器の上流側の空気流路と交差して配置され、当該加熱用熱交換器を通過する空気とバイパスする空気の割合を調整するいわゆるエアミックスドアとして用いたことにある（請求項１５）。これによって、前記した請求項１３の作用効果を持つエアミックスドアとしてのスライドドアが得られるものである。【００４３】  また、前記係合不能とする係合構造として、前記一対の雄状係合部の大きさを相互に異ならせると共に、前記一対の雄状係合部の大きさも前記一対の雄状係合部に対応して相互に異ならせたことにある（請求項１６）。また、前記一対の雄状係合部の巾を相互に相違させると共に、前記一対の雄状係合部の巾も前記雄状係合部に対応して相互に相違させたことにある（請求項１７）。即ち、一対の雄状係合部の形状を相互に異ならせると共にこれに対応する一対の雌状係合部の形状も相互に異ならせるものであれば良いものである。【００４４】また、この発明に係る空調装置用のスライドドア装置は、前記スライドドアの端部に設けられ、前記スライドドアの終端位置で前記空気流路を構成する部材に設けられた当接部に移動方向で圧接するシール材を更に備え、このシール材は前記スライドドアから移動方向に突出しており、その縦寸法の横寸法に対する比を１以上２以下の範囲内に設定するとよい（請求項１８）。これにより、シール材がシート代を充分に取ることが出来ると共に、シート時に座屈したり倒れてしまう不都合も発生しない。ちなみに、縦寸法の横寸法に対する比が１未満の場合には充分なシート代が取れず、空気洩れの問題が発生するし、また２よりも���となると、座屈したり、倒れやすくなり、これにより空気洩れの問題が引き起こされていた。【００４５】  具体的実施例では、スライドドアは加熱用熱交換器の上流側の空気流路と交差して配置され、当該加熱用熱交換器を通過する空気とバイパスする空気の割合を調整するいわゆるエアミックスドアとして用いたことにある（請求項１９）。これによって、前記請求項１７の作用効果を持つエアミックスドアとしてのスライドドアが得られるものである。また、スライドドアのシール材の横寸法は５ｍｍ以上としたことにある（請求項２０）。この横寸法を５ｍｍとすると縦寸法は５ｍｍ以上１０ｍｍ以下となり、充分なシール性が得られるものである。【００４６】また、本発明に係る空調装置用スライドドア装置は、空気流路が内部に形成された空調ケースと、加熱用熱交換器の上流側にて、空気流路の両側側面を構成する前記空調ケースに設けられた案内溝に取り付けられたスライドドアと、このスライドドアに近接して前記空気流路の側面を構成する前記空調ケースに回転可能に架設されたシャフトとを有して構成され、前記スライドドアの空気流路に対し風上側に形成されたラックと、前記シャフトに形成されたピニオンとを噛合し連動させることにより、前記スライドドアを前記案内溝に沿って摺動させると共に、前記スライドドアのラックと前記シャフトに形成されたピニオンとは、前記案内溝の周縁から延出したカバー部材により覆われるようにしてもよい（請求項２１）。【００４７】ここで、本発明に係る空調ユニットのうち前記カバー部材は、前記空調ケースに一体に形成され、前記カバー部材の前記案内溝の周縁からの延出方向は、前記空調ケースに対し空気流路の側面を構成する壁に沿うようにしてもよい（請求項２２）。【００４８】  また、本発明にかかる空調装置用スライドドア装置は、加熱用熱交換器の上流側に空気流路と交差して配置され、当該加熱用熱交換器を通過する空気と前記加熱用熱交換器をバイパスする空気との割合を調整するスライドドアを備え、該スライドドアの移動方向を自重が付加される上下方向に設定すると共にその開度を駆動する手段としてケーブルを伸縮させ、このスライドドアを重力に逆らう方向に移動時に、前記ケーブルを引き方向としてもよい（請求項２３）。【００４９】  これにより、スライドドアを重力に逆らう方向での移動時にあっては、ケーブルを引き方向に用いることで、可撓性を持つケーブルの座屈を防止できるものである。スライドドアを重力に順じる方向での移動時では、ケーブルを押し方向に用いても自重が作用して、ケーブルに圧縮方向の力を与えることが小さく、座屈することがないものである。また、ケーブルに自重が付加されるので、ケーブルの遊びが少なくなって、ケーブルヒスを少なくする利点を持つものである。【００５０】この発明にかかる自動車用空調装置は、加熱用熱交換器の上流側に空気流路と交差して配置され、当該加熱用熱交換器を通過する空気と前記加熱用熱交換器をバイパスする空気との割合を調整するスライドドアを備え、該スライドドアの移動方向を自重が付加される上下方向に設定すると共にその開度を駆動する手段としてケーブルを伸縮させ、該スライドドアのセットは、該スライドドアを最���上方に移動させ、その際にケーブルを最も引き伸ばすようにし、該スライドドアの下降を前記ケーブルからの駆動力に自重が付加されるようにしてもよい（請求項２４）。【００５１】  これにより、スライドドアの重力に逆らう方向では、常にケーブルを引く方向に、逆に重力に順じる方向では、ケーブルを戻す（押し）方向に作用させることができ、押し方向では操作力が軽減され、座屈が起こることがないものである。【００５２】  さらに、スライドドアが最も上方に移動時には、ヒータコアに送風空気の全量が送られること（請求項２５）、ケーブルが最も伸ばされた状態では、ヒータコアに送風空気の全量が送られることにある（請求項２６）。【００５３】この発明に係るスライドドア装置は、通風路の側面間に回転可能に架設されるシャフトにおいて、当該シャフトの両端に形成されて前記通風路を画成する側壁にそれぞれ軸支される軸支部と、この軸支部の内側に配されたピニオンと、このピニオンとピニオンとの間に配された架橋部とを有し、前記架橋部に貫通した通気路を形成し、このシャフトを利用して次のように空調装置用のスライドドア装置を構成してもよい。【００５４】即ち、通風路の側面間に回転可能に架設されると共に両端に形成されて前記通風路を画成する側壁にそれぞれ軸支される軸支部と、この軸支部の内側に配されたピニオンと、このピニオンとピニオンとの間に配された架橋部とを有し、前記架橋部に貫通した通気路が形成されたシャフトを備え、加熱用熱交換器を通過する空気と前記加熱用熱交換器をバイパスする空気との割合を調整するドア本体に対し、前記シャフトのピニオンを、当該ドア本体の通風方向と交差する面に形成されたラックと噛み合わせることで、ドア本体を通風と交差する方向にスライド可能とすると共に、前記シャフトに対し前記ドア本体がスライドできる終端位置に達した時に、前記シャフトの通気路が前記ドア本体のラックが形成された面と略平行になるように、前記シャフトとドア本体とを組付けるようにしてもよい（請求項２７）。【００５５】  これにより、フルホット時には、加熱用熱交換器をバイパスする側の空気流路がドア本体で完全に閉塞され、又、フルクール時には、加熱用熱交換器を通過する側の空気流路がドア本体で完全に閉塞されることに伴い、冷却用熱交換器のうち空気流路を閉塞したドア本体と対峙する部位を通過する空気は、ドア本体のラックが形成された面に沿いつつ、ドア本体で閉塞されていない、加熱用熱交換器をバイパスする空気流路又は加熱用熱交換器を通過する空気流路に向かって流れる。このような空気の流れに対し、架橋部に形成された通気路はドア本体のラックが形成された面と略平行になっているため、空気が通気路を通過するので、シャフトの架橋部の径をその強度を増すために太くしてもシャフトの架橋部が通気抵抗となることはない。【００５６】さらに、この発明に係るスライドドア装置は、空気流路が形成された空調ケースと、前記空調ケースに形成されたガイド部に案内され、前記空気流路と交差する方向にスライドするスライドドアと、このスライドドアに設けられ、前記スライドドアの停止位置で前記空調ケース側に設けられた当接部にスライド方向で圧接するシール部材とを有し���構成されており、前記シール部材を、前記空調ケースとの間に隙間を形成した状態で移動可能に設けると共に、前記シール部材に、前記当接部との圧接時にスライド方向と異なる方向に変形させて前記空調ケースに密接させる押圧変形部を設けるようにしてもよい（請求項２８）。【００５７】  したがって、スライドドアがスライドして停止位置に達すると、押圧変形部は当接部に圧接されてスライド方向と異なる方向に変形し、空調ケースに密接されることとなるので、スライドドアと空調ケースとの間を気密にシールすることが可能となる。【００５８】  具体的には、押圧変形部を、シール部材の端部にスライド方向へ突設し、当接部との圧接時にスライド方向と交差する方向へ弾性的に変形する駄肉部によって構成してもよい（請求項２９）。このような構成においては、スライドドアがスライドして停止位置に達すると、駄肉部は当接部に圧接されてスライド方向と交差する方向に変形するので、シール部材は空調ケースに密接し、スライドドアと空調ケースとの間をシールすることとなる。【００５９】  ここで、駄肉部を弾性的に変形させて空調ケースに接触させる状態は、駄肉部を当接部との圧接によりガイド部に当接させるものであっても、シール部材を設けたスライドドアの表面と対峙する壁部が空調ケースに設けられる場合には、当接部との圧接により壁部に当接させるものであってもよい（請求項３０，３１）。【００６０】  また、壁部は、空調ケースの当接部に沿って設けられるものであってもよく（請求項３２）、例えば、壁部を当接部に沿ってスライド方向に立設させたリブによって構成し、シール部材を前記スライドドアのスライド方向の端部に設けるようにしてもよく（請求項３３）、壁部は、当接部の両脇に沿って設けられ、互いに対峙する壁面が、押圧変形部を挿入する開口端から遠ざかるにつれて徐々に近接するものであってもよい（請求項３４）。
【発明の効果】
【００６１】  以上のように、請求項１乃至６に係る発明によれば、スライドドアが案内溝に対し常に一定のテンション手段によりテンションが付加されていることから、空気が当たっても振動せず、異音の発生を防ぐことができる。また、空気の洩れの防止性能も向上する。そしてテンション手段は、点接触突部により最小の接触面積から、摺動抵抗増とはならず、また、点接触突部が崩れても、周囲の線状の非接触突部が代わりとなり、テンションを与えることができる。さらに、点接触突部はテンションブリッジにより支えられているので、弾力の付加が容易である。さらにまた、摺動部をジグザグ構造としたことから軽量化の促進も図ると共に、柔軟な構造にできるものである。【００６２】請求項７乃至１３に係る発明によれば、スライドドアの縦方向及び横方向には曲がりにくいが、斜め方向には比較的曲がり易い。このためにねじり変形にて案内溝が変形しても、スライドドアは、その変形に対応してねじり変形して、移動がスムーズに行われるものである。【００６３】  請求項１４乃至１７に係る発明によれば、スライドドアと、このスライドドアを往復動させるシャフトとの組付が、一対の雄状係合部と一対の雌状係合部が係合することが出来れば、正式な組付となり、誤って組立てられることはない。しかも、その誤組立防止構造はきわめて簡単である。【００６４】  請求項１８乃至２０に係る発明によれば、スライドドアの端部に設けられたシール材の縦寸法の横寸法に対する比が１以上２以下となることから、シート代も確保できるし、シート時また縦方向の力が加わっても該シートが座屈したり、倒れたりせず、エア洩れを起こさない。また、シール材の横寸法は５ｍｍ以上が適切な値となっている。シール材の横寸法を５ｍｍとすると縦寸法は５ｍｍから１０ｍｍとなるものである。【００６５】請求項２１及び２２に係る発明によれば、ラックとピニオンを覆うカバー部材により、スライドドアのラックやシャフトのピニオンに対しその凹部に塵や砂埃が侵入すること自体を回避することが可能であるので、主に外気導入口より導入された空気中に含まれる塵や砂埃等の異物がスライドドアのラックとシャフトのピニオンとの間に噛み込まれるのを効果的に防止することができる。【００６６】  特に請求項２２に記載の発明によれば、空調ケースを複数のケース部材で構成する場合にカバー部材の形成を空調ケースの空気流路の側面を構成する壁を型抜き形成する際に同時に行うことができるので、製造工数が増加せず、かかるカバー部材を有する空調ケースの製造コストが、従来のカバー部材のない空調ケースの製造に比しコスト高となることを抑制することが可能である。【００６７】  請求項２３乃至２６に係る発明によれば、空調空気を制御するために用いられるスライドドアを動かすために、ケーブルを利用する駆動系を持つものにあって、スライドドアの重力を逆らう方向時の移動の場合にケーブルを引く方向とし、逆にスライドドアの重力に順ずる方向時の移動の場合にケーブルを押す方向とすることでケーブルの座屈を防ぐことができる。また、ケーブルに常時自重が付加されることから、ケーブルの遊びをなくして、ケーブルヒスを少なくすることができる。【００６８】  請求項２７に係る発明によれば、フルホット時又はフルクール時には、シャフトの架橋部に形成された通気路はドア本体のラックが形成された面と略平行になっているため、当該フルホット時又はフルクール時において、冷却用熱交換器で冷却された空気のうちドア本体のラックが形成された面に沿って流れる空気は、シャフトの架橋部に形成された通気路を通過するので、シャフトの架橋部の径を従来のものに比し相対的に太くしてもシャフトの架橋部が通気抵抗となるのを防止することができる。これにより、冷却用熱交換器とスライドドア装置との間に空気の流れを確保するための空域を確保したり、シャフトの架橋部を細くする必要性がなくなり、空調ユニットに対するより一層のコンパクト化とシャフトの架橋部の強度の維持・向上を図ることが可能となる。【００６９】  請求項２８乃至３４に係る発明によれば、スライドドアの表面に停止位置で空調ケース側に設けられた当接部とスライド方向で圧接するシール部材を設け、このシール部材を空調ケースとの間に隙間を形成した状態で移動可能に設けると共に、シール部材に、当接部との圧接時にスライド方向と異なる方向に変形させて空調ケースに密接させる押圧変形部を設けたので、スライドドアの停止位置においてスライドドアと空調ケースとの間の良好なシール状態を確保することが可能となる。また、スライドドアの停止位置でのみ押圧変形部を変形させて空調ケースに当接させることができるので、スライドドアの移動時に押圧変形部が空調ケースと摺接することがなく、シール部材の耐久性を向上させることができ、また、ケースとの摩擦音をなくすと共にスライドドアの円滑な動きを確保することが可能になる。
【図面の簡単な説明】
【００７０】［図１］この発明に係る自動車空調装置用のスライドドアが用いられている自動車用空調装置の縦断面図である。
［図２］スライドドアからシャフトを分離した状態の斜視図である。
［図３］スライドドアの摺動部方向を見た拡大の側面図である。
［図４］テンション手段の拡大断面図である。
［図５］同上の平面図である。
［図６］テンション手段の他の実施例の拡大断面図である。
［図７］図２のＤ−Ｄ線端面図である。
［図８］図２のＥ−Ｅ線端面図である。
［図９］スライドドアからシャフトを分離した状態の斜視図である。
［図１０］シャフトがスライドドアに仮保持された状態の斜視図である。
［図１１］スライドドア端部に取付られたシール材の側面図である。
［図１２］（ａ）スライドドアの端部に取付られたシール材の横寸法の縦寸法に対する比が２．５の例が示されている側面図である。（ｂ）同上のシール材によるシール時に座屈した状態を示した側面図である。
［図１３］図１３は、この発明に係る空調ユニットのスライドドア装置のうちスライドドアとシャフトの構成を示す説明図である。
［図１４］図１４は、同上のスライドドア装置が空調ケースに装着され、これに伴いカバー部材がシャフトのピニオンとスライドドアのラックとを覆った状態を示す説明図である。
［図１５］図１５は、同上のカバー部材がシャフトのピニオンとスライドドアのラックとを覆った状態の拡大図である。
［図１６］この発明の自動車用空調装置のスライドドアの駆動系を示すための空調ケースの斜視図である。
［図１７］スライドドアの駆動系の模式図である。
［図１８］図１８（ａ）及び（ｂ）は、シャフトの構成を示す全体図であり、特に図１８（ｂ）は、架橋部に通気路を形成した構成を示すための全体図である。
［図１９］図１９は、シャフトとドア本体との構成を示す斜視図である。
［図２０］図２０（ａ）は、フルクール時における空気の流れを示す説明図であり、図２０（ｂ）は、フルホット時における空気の流れを示す説明図である。
［図２１］図２１は本発明に係るスライドドア装置を車両用空調装置に利用した場合の構成例を示す断面図である。
［図２２］図２２は、図２１に係るスライドドア装置を上方から見た図であり、図１のＡ−Ａ線で切断した断面図である。
［図２３］図２３は、図２１に係るスライドドア装置を上流側から見た図である。
［図２４］図２４は、図２１に係るスライドドア装置を下流側から見た図である。
［図２５］図２５は、図２１に係るスライドドア装置が設けられた部分を下流側から見た斜視図であり、図２５（ａ）はシール部材７２が当接部７４から離れている状態を示す図であり、図２５（ｂ）はシール部材７２が当接部７４に当接している状態を示す図である。
［図２６］図２６（ａ）は、スライドドアのシール部材が設けられた一部分を示す斜視図であり、図２６（ｂ）は、スライドドアのシール部材を当接部に圧接させた状態を側方から見た断面図であり、図２６（ｃ）は、スライドドアのシール部材を当接部に圧接させた状態を上方から見た断面図である。
［図２７］図２７は、図２１に係るスライドドア装置のスライド方向の端部に設けられたシール構造を示す図であり、図２７（ａ）はシール部材２２が当接部から離れている状態を示す斜視図であり、図２７（ｂ）はシール部材２が当接部に圧接する前後の状態を示す図である。
［図２８］図２８は、シール部材を当接部に圧接する他の構成例を示す図であり、シール部材を当接部に圧接する前後の状態を示す図である。
［図２９］図２９は、シール部材を当接部に圧接する他の構成例を示す図であり、シール部材を当接部に圧接する前後の状態を示す図である。
［図３０］図３０は、シール部材を当接部に圧接する他の構成例を示す図であり、シール部材を当接部に圧接する前後の状態を示す図である。
［図３１］図３１は、シール部材を当接部に圧接する他の構成例を示す図であり、シール部材を当接部に圧接する前後の状態を示す図である。
【符号の説明】
【００７１】  １  自動車空調装置
２  空気流路
２ａ  分岐流路
２ｂ  分岐流路
３  空調ケース
３Ａ、３Ｂ、３Ｃ  空気流路を形成するための壁
１１  エバポレータ
１２  ヒータコア
１４  スライドドア装置
１５  シャフト
１６  軸支部
１７，１７ａ，１７ｂ  ピニオン
１８  架橋部
２２ａ，２２ｂ  雄状係合部
２３  スライドドア
２４  摺動部
２５  案内溝
２６，２６ａ，２６ｂ  ラック
２７  テンション手段
２９ａ，２９ｂ  雌状係合部
３０  非接触突部
３１  点接触突部
３２  テンションブリッジ
３５ａ，３５ｂ，３５ｃ，３５ｄ，３５ｅ，３５ｆ  凹状平面部
３６ａ，３６ｂ，３６ｃ，３６ｄ，３６ｅ，３６ｆ  凸状平面部
４０  シール材
４６  ピニオン
４８  駆動レバー
５０  軸
５２  ケーブル
５４  操作装置
５５  レバー
５７  ガイド部
６１ａ，６１ｂ  ガイドリブ
６２  シート面
６９  当接部
７０，７１，７２  シール部材
７０ａ  押圧変形部
７１ａ，７２ａ  駄肉部
７３  境界壁
７４  当接部
７５  壁部
８０  壁部
１２１  通気路
１３１  カバー部材
１３１Ａ  平坦部
１３１Ｂ  半円筒状部
【発明を実施するための最良の形態】
【００７２】  以下、この発明の実施例を図面にもとづいて説明する。【００７３】  図１において、自動車用空調装置１は、空気流路２が内部に形成された空調ケース３を有し、この空調ケース３の上流側に配された図示しない送風機より空気が送り込まれる。またこの空気流路２の最下流には、吹出モードに応じてデフ吹出通路用開口４、ベント吹出通路用開口５、フット吹出通路用開口６がそれぞれ設けられ、該開口４，５，６に温調空気を分配するモードドア７，８，９が配されている。【００７４】  前記空気流路２の上流側に、該空気流路２の全体を遮るように立設され、空調ケース３内に導入された全ての空気を通過させるエバポレータ１１が配置されている。またエバポレータ１１の下流側には、空気流路２の一部を遮るように設けられたヒータコア１２が配置されている。エバポレータ１１は、図示しないコンプレッサ、コンデンサ、エクスパンションバルブ等と共に配管結合されて冷房サイクルを構成しており、コンプレッサの稼働によりエバポレータ１１へ冷媒を供給してこのエバポレータ１１を通過する空気を冷却するようになっている。また、ヒータコア１２は、エンジン冷却水が供給されてここを通過する空気を加熱するようになっている。【００７５】  そして、エバポレータ１１の下流側となり、且つヒータコア１２の上流側となるエバポレータ１１とヒータコア１２との間には、空気流路２と交差する方向にスライドし、ヒータコア１２を通過する分岐流路２ａを流れる空気とヒータコア１２をバイパスする分岐流路２ｂを流れる空気との割合を調節するスライドドア装置１４が配置されている。【００７６】  このスライドドア装置１４は、図２に示されるように、シャフト１５とスライドドア２３とで基本的に構成されている。このうち、スライドドア２３は、シャフト１５から駆動力が伝えられることから、まずシャフト１５を説明すると、当該シャフト１５は、例えば合成樹脂などで一体形成されているもので、空気流路２の側面間に回転可能に架設されており、同図に示されるように、その両端には、空調ケース３の空気流路２のおのおのの側面に軸支するための軸支部１６が形成されていると共に、この軸支部１６より内側において多数の歯を有する円盤状のピニオン１７ａ，１７ｂが形成されている。【００７７】そして、シャフト１５のピニオン１７ａ，１７ｂ間の架橋部１８は、この実施形態では、対向する２枚の長板１９，１９とその間を連結する接続片２０とより成り、接続片２０間または接続片２０と長板１９との間に通気路１２１が形成されている。またシャフト１５の中心に仮保持用ピン挿入孔２１が形成され、さらに、前記ピニオン１７ａ，１７ｂの近傍に、雄状係合部２２ａ，２２ｂが形成されている。【００７８】  これに対し、スライドドア２３は、図２に示すように、この実施例では、平板状のものであって、長手方向の両端部位の摺動部２４（２４ａ，２４ｂ）が空調ケース３に形成された案内溝２５に摺動可能に収納されている。そしてまた、スライドドア２３は前記摺動部２４，２４の内側に前記ピニオン１７ａ，１７ｂと噛合するラック２６ａ，２６ｂが形成されている。これにより、前記シャフト１５に与えられた回転力がピニオン１７ａ，１７ｂからラック２６ａ，２６ｂを通じてスライドドア２３に伝達されて、スライドドア２３は、案内溝２５の長手方向に沿って空気流路２と交差する方向にスライドされる。【００７９】  ところで、前記スライドドア２３の前記摺動部２４，２４は、図３にも示すように、摺動方向に凸部２４ａ，２４ａとその間に形成の凹部２４ｂとで所定の寸法（案内溝２５の巾）の範囲内でジグザグに折れ曲がった形状として柔軟性を与えている。また、前記凸部２４ａ，２４ａにそれぞれ１個づつのテンション手段２７を形成して、前記案内溝２５との間に適宜なテンションを与えている。【００８０】  テンション手段２７は、図４、図５に拡大して示されるように、凸部２４ａに突設して線状の非接触突部３０が形成され、この突部３０は案内溝２５に１ｍｍ以下の隙間を有するほぼ円形形状である。そして、その非接触突部３０に囲まれたテンションブリッジ３２の中心に点接触突部３１が形成され、案内溝２５の内側面に接触している。即ち、前記テンションブリッジ３２は平面状の部位であることから弾性を持たせやすく、点接触突部３１に適宜なテンションを付加することができる。【００８１】  この点接触突部３１は案内溝２５に対し、点接触となっており、抵抗の増加は微量である。この点接触の長年の使用によりヘタルことが生じるが、この場合には突部よりも１ｍｍ以下の小さな非接触部３０が代わって案内溝２５の内面と接触するようになり、ガタの発生を防ぐことができる。なお、テンション手段２７は名摺動部２４，２４に２ヶ所設けられるから安定した作用が行われる。また、テンション手段２７は図６に示すような実施例であっても良い。この例では点接触突起３１を２つ有し、該点接触突起３１はテンションリブ３３上に設けられている。以上のような構造のテンション手段２７を持つものであるから、スライドドア２３の製造にあって、上下方向へ型抜きで対応でき、製造金型も安価となり、コストの引き下げに寄与することができる。【００８２】  さらに、スライドドア２３のラック２６，２６の内側に雌状係合部２９，２９が突出され、前記雄状係合部２２，２２が係合して仮保持時の位置決め用に用いられる。さらにまた、スライドドア２３のほとんどの部位は、凹状平面部３５と凸状平面部３６とが千鳥状に配置された形状となっている。なお、３７は、スライドドア２３の仮保持用の孔である。【００８３】  上述のような構造のスライドドア２３にあって、その摺動方向の両端部にウレタン等の軟性の樹脂で製造のシール材４０が取付られている。このシール材４０は、案内溝２５の終端に至った際に空調ケース３の当接部４２に当接され、その移動のための力により圧縮される。即ち、シール代が圧縮され、その反力がスライドドアと案内溝２５の接触方向に働かないため、シール材４０は当接部４２に密着する。これにより空気の洩れが防がれるものである。【００８４】  また、スライドドア２３のラック２６ａ，２６ｂの内側に雌状係合部２９ａ，２９ｂが突出され、前記雄状係合部２２ａ，２２ｂが係合して仮保持時の位置決め用に用いられる。さらに、図７及び図８に示されるように、スライドドア２３のほとんどの部位は、凹状平面部と凸状平面部とが千鳥状に配置された形状となっている。即ち、凹状平面部（図２による凹んでいる部分）は長方形状で、中心縦方向に縦方向寸法の大きな凹状平面部３５ｂ，３５ｅ、両側にあって、縦方向に縦方向寸法の小さな凹状平面部３５ａ，３５ｄ及び３５ｃ，３５ｆが形成されている。前記凹状平面部３５ａ，３５ｃと凹状平面部３５ｂとは、縦方向に所定寸法Ａだけ中心側にずらされ、また前記凹状平面部３５ｄ，３５ｆと凹状平面部３５ｅとは、縦方向に所定寸法Ａだけ中心側にずらされて、重ならないように配されている。なお、前記凹状平面部３５ａ，３５ｂ，３５ｃは一つの横方向リブを形成し、また凹状平面部３５ｄ，３５ｅ，３５ｆもまた横方向のリブを形成している。【００８５】  凸状平面部（図２により凸っている部分）は、前記凹状平面部３５ａ〜３５ｆが形成されていない所で、中心で横方向に大きな凸状平面部３６ｃと、横方向両側にあって縦方向に小さな凸状平面部３６ａ，３６ｄ及び３６ｂ，３６ｅが形成されている。特に大きな凸状平面部３６ｃは大きな横方向リブとなっている。なお、スライドドア２３の横方向の両側に、凹んだ状態でラック２６ａ，２６ｂ及び凹んだ位置から雌状係合部２９ａ，２９ｂが形成されている。【００８６】前記凹状平面部３５ａと３５ｂとの間、凹状平面部３５ｂと３５ｃとの間及び凹状平面部３５ｄと３５ｅとの間、凹状平面部３５ｅと３５ｆとの間には、突状となって図示されている縦状リブ４５ａ，４５ｂ，４５ｃ，４５ｄが形成されている。この縦状リブ４５ａと４５ｃは直線状に連なり、また縦状リブ４５ｂと４５ｄもまた直線状に連なっている。【００８７】以上のように、スライドドア２３は、縦方向と横方向に縦方向リブと横方向リブを有していることから、縦及び横方向曲げには所定の強度を持つが、斜め方向（対角線方向）には曲げ易い。即ち、ねじれ変形に対する強度は大きくなく外力により曲がり易くなっている。従って、空調ケースが変形し、案内溝が変形してもスライドドア２３の移動は常にスムーズに行われるものである。【００８８】図９及び図１０において、他の構成例が示されており、この例においては、次の点で前記構成例と異なる。即ち、シャフト１５のピニオン１７ａ，１７ｂ間の架橋部１８は、この実施形態では、対向する２枚の長板１９，１９とその間を連結する接続片２０とより成り、また中心に仮保持用ピン挿入孔２１が形成され、さらに、前記ピニオン１７ａ，１７ｂの近傍に、雄状係合部２２ａ，２２ｂが形成されている。一方の雄状係合部２２ａは、所定の寸法Ａを有し、他方の雄状係合部２２ｂは、前記寸法よりも短い寸法Ｂを有している。【００８９】  また、スライドドア２３のラック２６ａ，２６ｂの内側に雌状係合部２９ａ，２９ｂが突出され、前記雄状係合部２２ａ，２２ｂが係合して仮保持時の位置決め用に用いられる。一方の雌状係合部２９ａは、所定の寸法Ａを有し、他方の雌状係合部２９ａは前記寸法Ａよりも短い寸法Ｂを有している。さらに、スライドドア２３のほとんどの部位は、凹状平面部３５と凸状平面部３６とが千鳥状に配置された形状となっている。なお、３７は、スライドドア２３の仮保持用の孔である。【００９０】上述のような構成において、空調ケース２の組立時に、まずシャフト１５はス��イドドア２３に仮保持される。即ちシャフトのピニオン１７ａ，１７ｂは、スライドドア２３のラック２６ａ，２６ｂに噛合させ、しかも雄状係合部２２ａ，２２ｂをスライドドア２３の雌状係合部２９ａ，２９ｂと係合状態とするべく回転させる。係合状態となると、位置決めが完了し、係止用ピン２３を係止用ピン挿入孔２１に挿入すると、その先端が突出し、その突出部分がスライドドア２３の孔３７内に挿入される。これにより、シャフト１５はスライドドア２３に仮保持される。【００９１】  なお、雄状係合部２２ａ，２２ｂと雌状係合部２９ａ，２９ｂは、それぞれ寸法が相違しているから２２ａと２９ａ、２２ｂと２９ａとは係合するが、２２ａと２９ｂ、２２ｂと２９ａとは係合できず、したがって位置決めができない。即ち、係合用ピン２３が挿入孔２１から孔３７へ挿入ができず、組立作業者が誤りであることを認識され、誤組付が行われないものである。【００９２】  ところで、図１１において、図１で用いられるシール財４０の具体例が示され、この構成において、シール材４０は、前述したごとく、ライドドア１４の摺動方向の両端部にウレタン等の軟性の樹脂で製造されているものであるが、このシール材４０は、案内溝２５の終端に至った際に空調ケース３の当接部４２に当接され、その移動のための力により圧縮されるもので、断面矩形状で、シール材の縦寸法Ｂの横寸法Ａに対する比は、１以上で２以下となっている。例えば横寸法が５ｍｍであれば、５ｍｍ以上で１０ｍｍ以下となる。この横寸法と縦寸法との比を持つものであれば、シール代も取れ、シールが確実に行われる。もし前記比が例えば図１２（ａ）に示すように２．５の場合にはシール材４０が当接部４２に当接時に押圧力で図１２（ｂ）のように座屈してしまう不都合が発生する。即ち、空気のシールが完全に行われなくなり、空気洩れの原因となるものである。【００９３】図１３に他の構成例が示され、スライドドア装置は、同図に示されるように、シャフト１５とスライドドア２３とで基本的に構成されている。このうちシャフト１５は、例えば合成樹脂などで一体形成されているもので、同図に示されるように、空調ケース３の空気流路２を画成する側壁間に対し回転可能に架設されている。そして、シャフト１５の両端には、空気流路２の各々の側面に軸支するための軸支部１６が形成されていると共に、この軸支部１６より内側には、複数の歯を有する円盤状のピニオン１７、１７が形成されている。【００９４】  そして、シャフト１５のピニオン１７、１７間に位置する架橋部１８は、この実施形態では、対向する２枚の長板１９、１９とその間を連結する接続片２０とから成り、接続片２０、２０間又は接続片と長板１９との間に通気路１２１が形成されている。また、架橋部１８の長手方向に沿った側の中心には、当該架橋部１８の短手方向に沿って延びる仮保持用ピン挿入孔２１が形成されて、この仮保持用ピン挿入孔２１にピンを挿通させ、更に図示しないスライドドア２３の仮保護用の孔に差し込ませることで、シャフト１５をスライドドア２３に一時的に仮保持することを可能としている。【００９５】  これに対し、スライドドア２３は、図１３に示されるように、略平板状のものであって、その長手方向に沿った側の両端部位には、摺動部２４、２４が形成されて、図１に示される空調ケース３に形成された案内溝２５、２５に対し当該案内溝２５内を摺動可能に収納されるようになっている。また、スライドドア２３は、前記摺動部２４、２４の内側に前記ピニオン１７、１７と噛合するラック２６、２６が形成されている。これにより、シャフト１５に与えられた回転がピニオン１７からラック２６を通じてスライドドア２３に伝達されて、スライドドア２３を、案内溝２５の長手方向に沿って空気流路２と交差する方向にスライドさせることができる。【００９６】  ところで、空調ケース３に設けられた案内溝２５は、図１４及び図１５に示すように、その長手方向に沿った縁部の風下側では、スライドドア２３の風下側への脱落・傾倒を防止等するためにガイド部材１３０が当該空調ケース３に対し一体となるよう立壁状に突出形成されている。また、案内溝２５の長手方向に沿った縁部の風上側では、カバー部材１３１が当該空調ケース３に対し一体となるように突出形成されている。【００９７】  このカバー部材１３１は、スライドドア２３の風上側への脱落・傾倒を防止等すると共にピニオン１７、ラック２６を覆うためのものである。すなわち、カバー部材１３１は、ピニオン１７とラック２６とが噛合していない部位では、スライドドア２３の面に略沿って平坦状に延出した平坦部１３１Ａを構成していると共に、ピニオン１７とラック２６とが噛合している部位では、ピニオン１７の周面に略沿って風上側に湾曲しつつシャフト１５の軸方向に沿って延出した有底の半円筒状部１３１Ｂを構成している。しかも、これら平坦部１３１Ａ、半円筒状部１３１Ｂは、ピニオン１７、ラック２６よりも内側まで延出している。【００９８】  そして、ガイド部材１３０並びにカバー部材１３１を構成する平坦部１３１Ａ、半円筒状部１３１Ｂの延出方向は、空調ケース３の空気流路２を形成するための壁３Ａ、３Ｂ、３Ｃ（図１に示す）の延出方向と同じ方向となっている。【００９９】  以上により、風上側から送風されてくる空気は、カバー部材３１に遮られて、ピニオン１７及びラック２６に当たらないので、ピニオン１７及びラック２６の歯の凹部に対し、主に外気導入口より導入された空気中に含まれる塵や砂埃等の異物が堆積することがなく異物がスライドドア２３のラック２６とシャフト１５のピニオン１７との間に噛み込まれるのを効果的に防止することができる。【０１００】  また、図示しないが空調ケース３を縦方向に沿って分割した複数のケース部材で構成する場合には、ガイド部材１３０及びカバー部材１３１を壁３Ａ、３Ｂ、３Ｃと同時に型抜き方法にて形成することができるので、当該ガイド部材１３０及びカバー部材１３１を別部材とする場合に比し、空調ケース３の製造を安価なものとすることができる。【０１０１】ところで、図１６に示されるように、スライドドア装置は、空調ケース３の外側で、前記シャフト１４の軸支部１６が外部に突出し、その突出端にピニオン４７が取付られる。このピニオン４７に駆動レバー４８の一端に設けられた歯車４９と噛合している。この駆動レバー４８は、軸５０を支点として回動可能に設けられ、この駆動レバー４８の他��に下記するケーブル５２の一端が連結されているピン５１が突設されている。【０１０２】ケーブル５２は、その他端が操作装置１５４のレバー１５５に連結されている。この操作装置１５４は、吹出温度設定用のもので、レバー１５５を移動して吹出温度を選択することで、前記スライドドア２３が上下方向に適宜に移動される。【０１０３】  上述の構成において、スライドドア２３は、操作装置１５４からの操作力（レバー５５を指で摘んで左右に移動）がケーブル５２を介して駆動レバー４８に伝えられ、該駆動レバー４８は軸５０を支点として回動される。即ちケーブル５２に引き方向の操作力が加えられると、図１７に示す模式図のように、駆動レバー４８は軸５０を支点としてＡ方向へ回動される。そして、歯車４９に噛合のピニオン４７をＤ方向に回転させ、シャフト１５を同方向に回転させる。【０１０４】  これにより、ピニオン１７ａ，１７ｂを同方向に回転させ、スライドドア２３は上方、即ち、重力が掛かる方向（逆方向）に移動させる。このスライドドア２３の上方への移動は、常にケーブル５２の引き方向となっている。したがって、可撓性のケーブルを座屈させることはない。【０１０５】  また、ケーブル５２に押し方向の操作力が加えられると、図１７に示すように、駆動レバー４８は前記とは逆に軸５０を支点としてＢ方向へ回動される。そして、歯車４９に噛合のピニオン４７をＣ方向に回転させ、シャフト１５を同方向に回転させる。【０１０６】  これにより、ピニオン１７ａ，１７ｂを同方向に回転させ、スライドドア２３は下方、即ち、重力に順ずる方向に移動させる。このスライドドア２３の下方への移動は、常にケーブル５２を押す方向となっている。したがって、押し方向の操作力がケーブルにかかっても、自重が作用して、ケーブル５２が座屈することがない。【０１０７】  以上のように、常にケーブルに自重が付加されるので、ケーブルの遊びが少なくなって、ケーブルヒスを少なくすることができる。なお、この実施例では、スライドドア２３を案内する案内溝２５を上下方向に設けているが、上下方向とは、厳密な意味でなく、重力が作用する斜め方向も含む意味で用いられる。【０１０８】  スライドドア装置のシャフトの他の構成例が図１８に示されている。このスライドドア装置１４は、シャフト１５とスライドドア２３とで基本的に構成されている。このうちシャフト１５は、例えば合成樹脂などで一体形成されているもので、空調ケース３の空気流路２を画成する側壁間に対し回転可能に架設されている。そして、図１８（ａ）、（ｂ）及び図１９に示される様に、シャフト１５の両端には、空気流路２の側面に軸支するための軸支部１６を有していると共に、この軸支部１６より内側には、複数の歯を有する円盤状のピニオン１７を有している。このピニオン１７、１７間の寸法は、後述するスライドドア２３のラック２６、２６間の寸法に対応したものとなっている。更に、このシャフト１５は、ピニオン１７とピニオン１７との間に架橋部１８を有している。【０１０９】  これに対し、スライドドア２３は、この実施形態では、図１９に示す様に、略平板状のものであって、長手方向の両端部位には上述のシャフト１５のピニオン１７と噛み合うラック２６、２６が形成されている。ラック２６は、その一方の終端にピニオン１７が達した場合には、分岐流路２ａをスライドドア２３が完全に閉塞する位置にあるフルホット状態を形成し、他方の終端にピニオン１７が達した場合には、分岐流路２ｂをスライドドア２３が完全に閉塞する位置にあるフルクール状態を形成する寸法を備えている。【０１１０】  また、スライドドア２３は、図１に示される様に、その側方の両縁部位が空気流路２の側面に形成された溝部２５に摺動可能に係合している。これにより、シャフト１５に与えられた回転がピニオン１７からラック２４を通じてスライドドア２３に伝達されて、スライドドア２３は、溝部２５の長手方向に沿って空気流路２と交差する方向にスライドする。【０１１１】  ところで、シャフト１５は、図１８に示される様に、架橋部１８が軸方向に細長い略直方体形状をなしていると共にこの直方体のうち１対の対峙する面の両側に開口した複数の通気路１２１を有している。そして、通気路１２１の開口側から見た形状は、この実施形態では、略三角形状をなしていると共に、隣合う通気路１２１同士では、縁部を挟んで三角形状の向きが上下逆転して並んでいる。架橋部１８の構造を、このような通気路１２１の形状及び配列とすることにより、架橋部１８に通気路１２１を複数形成しても当該架橋部１８に対して必要な強度を確保することができる。【０１１２】  但し、シャフト１５の架橋部１８の構造は、当該架橋部１８の必要強度を確保しつつ通気路１２１を形成することができればこの実施形態に限定されないもので、例えば架橋部１８を円柱状のものとしたり、各通気路１２１の開口部の形状を四角形状、円状とするものであっても良い。そして、このように架設部１８に通気路１２１を形成することにより、シャフト１５全体の軽量化も図ることができる。【０１１３】  そして、シャフト１５のピニオン１７とスライドドア２３のラック２４とは、シャフト１５に対しスライドドア２３がスライドできる終端位置に達した時に、シャフト１５の通気路１２１が、スライドドア２３のラックが形成された面と平行になるように噛み合わされている。【０１１４】  しかるに、フルクール時には、図２０（ａ）に示されるように、分岐流路２ｂがスライドドア２３で完全に閉塞された状態となり、これに伴い、エバポレータ１１のうちスライドドア２３と対峙する部位を通過して下流側に流れた空気は、スライドドア２３のラックが形成された面に沿いつつ、分岐流路２ａに向かって流れるところ、かかる流れの空気は、その流れの途中に位置するシャフト１５に対し、当該シャフト１５の架橋部１８に形成された通気路１２１を通過する。これに対し、フルホット時には、図２０（ｂ）に示されるように、分岐流路２ａがスライドドア２３で完全に閉塞された状態となり、これに伴い、エバポレータ１１のうちスライドドア２３と対峙する部位を通過して下流側に流れた空気は、スライドドア２３のラックが形成された面に沿いつつ、分岐流路２ｂに向かって流れるところ、かかる流れの空気も、その流れの途中に位置するシャフト１５に対し、当該シャフト１５の架橋部１８に形成された通気路１２１を通過する。【０１１５】  よって、シャフト１５の架橋部１８が通気抵抗となならいので、エバポレータ１１とスライドドア装置１４とをより一層近接して配置することが可能となり、空調ユニット１のコンパクト化を図ることができる。【０１１６】  図２１乃至図３１に空調装置用のエアミックスドア装置の他の構成例が示されている。図２１において、車両用空調装置１は、空気流路２が内部に形成された空調ケース３を有し、この空調ケース３の上流側には、図示しない送風機が配置され、下流側には、吹出モードに応じて選択された吹出口へ温調空気を分配する図示しないモードドア等が配置されている。【０１１７】  送風機の下流側には、空気流路２の全体を遮るように立設され、空調ケース３内に導入された全空気を通過させるエバポレータ５４が配置されている。また、エバポレータ５４の下流側には、空気流路２の一部を遮るように設けられたヒータコア５５が配置されている。エバポレータ５４は、図示しないコンプレッサ、コンデンサ、エクスパンションバルブ等と共に配管結合されて冷房サイクルを構成しており、コンプレッサの稼動によりエバポレータ５４へ冷媒を供給してこのエバポレータ５４を通過する空気を冷却するようになっている。また、ヒータコア５５は、エンジン冷却水が供給されてここを通過する空気を加熱するようになっている。【０１１８】  そして、エバポレータ５４の下流側となり、且つ、ヒータコア５５の上流側となるエバポレータ５４とヒータコア５５との間には、空気流路２と交差する方向にスライドし、ヒータコア５５を通過する分岐流路２ａを流れる空気とヒータコア５５をバイパスする分岐流路２ｂを流れる空気との割合を調節するスライドドア２３が配置されている。【０１１９】  このスライドドア２３は、図２２乃至図２４に示されるように、矩形をなす板状に形成されており、横方向の寸法が空調ケース３の横方向で対向する側壁間の寸法にほぼ等しく形成され、縦方向（上下方向）の寸法が一方の分岐流路を閉塞した際に他方の分岐流路を全開にする大きさに形成されている。【０１２０】  また、スライドドア２３は、空調ケース３の対向する側壁に形成された上下方向（縦方向）に延びる対をなすガイド部５７に案内されてスライドするもので、この例においては、ガイド部５７がスライドドア２３の両側縁部を摺動可能に挿入するガイド溝によって構成されている。また、スライドドア５６には、下記する駆動ギア５９と噛合するラック６０が、風上側となる表面に上下方向（縦方向）のほぼ全範囲に亘って形成されている。【０１２１】  ガイド溝からなるガイド部５７は、図２５及び図２６にも示されるように、空調ケース３の内壁から空気流路２に突設した対をなすガイドリブ６１ａ，６１ｂによって構成されており、風下側のガイドリブ６１ｂは風上側のガイドリブ６１ａと対峙する面が全体に亘って平坦に形成され、スライドドア２３を摺接可能に受けるシート面６２となっている。また、ガイド溝に配されるスライドドア２３の側縁部には、スライドドア２３をシート面６２に押し付けるアーム状の弾性部６３が形成されている。【０１２２】  エバポレータ５４とスライドドア２３との間には、空気流路２の略中央をスライドドア２３に沿って水平方向に過ぎるよう空調ケース３に架設���れた駆動軸１５が配され、この駆動軸１５にスライドドア２３のラック６０と噛合する駆動ギア（ピニオン）５９が固装されている。駆動軸１５の空調ケース３の外部へ突出した部分には、外側ギア６６が固設され、図示しない温調レバーと連動するギアが噛合して外部から回転動力を受けるようになっている。【０１２３】  したがって、温調レバーを動かすことで外側ギア６６及び駆動軸１５を介して駆動ギア５９が回動され、スライドドア２３がガイド部５７に案内されつつシート面６２に対して摺接しながら上下方向にスライドし、それぞれの分岐流路２ａ，２ｂを通過する割合が調節されるようになっている。【０１２４】  スライドドア２３のスライド方向の両端部には、空調ケース３の内壁と接触しないように横方向に延びるシール部材７０が付設されており、ガイド溝の終端位置において空調ケース３に形成された尖塔状の当接部６９にスライドドア７３をシール部材７０を介して当接可能としている。【０１２５】  また、スライドドア７３の風下側の表面には、スライド方向の両端部近傍において横方向に延びるシール部材７１，７２が付設されている。このシール部材７１，７２は、ヒータコア５５の収容空間を画設すると共に分岐流路２ａと分岐流路２ｂとの境界を画定する境界壁７３の先端部分で構成された当接部７４にスライド方向で当接可能となっている。即ち、スライドドア２３が分岐流路２ｂを閉塞して分岐流路２ａを全開とするフルホット位置にある場合には、下方のシール部材７２が当接部７４に下方から圧接し、スライドドア２３が分岐流路２ａを閉塞して分岐流路２ｂを全開とするフルコールド位置にある場合には、上方のシール部材７１が当接部７４に上方から圧接するようになっている。【０１２６】  上方及び下方のシール部材７１，７２の両端部は、空調ケース３の内壁、この例においては、風下側のガイドリブ６１ｂに近接して設けられ、下方のシール部材７２の端部にあっては、さらに、風下側のガイドリブ６１ｂに沿って平行に設けられ、分岐流路２ａへの突出量をガイドリブ６１ｂよりも大きくしてスライドドア７３の風下側表面と対峙し得るように形成された壁部７５との間に配されている。【０１２７】  そして、シール部材７１，７２の両端部には、当接部７４へ向うようスライド方向に突設し、当接部７４との圧接によりスライド方向と交差する方向へ弾性的に変形する押圧変形部としての駄肉部７１ａ，７２ａが一体に設けられている。この駄肉部７１ａ，７２ａは、シール部材７１，７２の一部を構成しているもので、弾性変形しない状態にあっては、風下側のガイドリブ６１ｂから僅かに離れた状態となり、下方の駄肉部７２ａにあっては、さらに壁部７５から僅かに離れた状態で対峙するようになっている。【０１２８】  以上の構成において、スライドドア２３がスライドする場合には、シール部材７０，７１，７２がガイドリブ６１ｂや壁部７５から離して設けられているので、シール部材７１，７２がガイドリブ６１ｂや壁部７５と摺接することがない。このため、これらの間で摩擦が生じることがないので、シール部材７０，７１，７２の耐久性を損なうことがなく、また、シール部材７０，７１，７２と空調ケース３との摩擦音をなくすことが���能になると共にスライドドア２３の円滑な動きを確保することが可能になる。【０１２９】  そして、スライドドア２３を分岐流路２ｂを閉塞するフルホット位置へ動かすと、下方のシール部材７２が当接部７４にスライド方向で当接し、両端部の駄肉部７２ａも当接部７４に強く押し付けられることとなる。このため、駄肉部７２ａは、図２６（ａ）に示すように、当接部７４から受けるスライド方向の圧縮荷重（白抜きの矢印で示す）Ｆに対して、実線の矢印で示すように、スライド方向と交差する方向に弾性変形して膨出し、図２６（ｂ）や図２６（ｃ）に示されるように、破線で示す変形前の状態から実線で示す状態となり、風下側のガイドリブ６１ｂや壁部７５の表面に対して圧接し、スライドドア２３と空調ケース３との間をシールすることとなる。このため、スライドドア２３の停止位置でスライドドア２３と空調ケース３との間の良好なシール状態を確保することが可能となる。【０１３０】  尚、上述の構成においては、分岐流路２ａ側にのみ壁部２５を設けるようにしたが、分岐流路２ｂ側にもスライドドア２３と対峙する壁部を設けてもよい。また、上述の構成においては、境界壁７３の先端部分に形成された当接部７４に圧接するシール部材にのみ駄肉部を設けるようにしたが、他のシール部材に同様の駄肉部を設けるようにしてもよい。【０１３１】  また、以上の構成に代えて、又は、以上の構成と共に、スライドドア７３のスライド方向の端部に設けられたシール部材７０とこれに当接する当接部６９との構成を、図２７に示すようにしてもよい。即ち、空調ケースの当接部６９を平坦に形成すると共に当接部６９に沿って壁部８０をスライド方向に立設し、シール部材７０に当接部６９との圧接時にスライド方向と異なる方向に変形させて空調ケース３に密接させる押圧変形部を設けるようにしてもよい。【０１３２】  具体的には、同図に示されるように、押圧変形部７０ａをシール部材２０の全体によって構成すると共に、壁部８０を、当接部６９に沿ってスライドドア２３のスライド方向に立設された対をなすリブによって構成し、スライドドア２３の端部に設けられたシール部材７０を壁部間に挿入して当接部６９に圧接させることで、シール部材７０をスライド方向と直角方向に弾性的に変形させ、シール部材７０の側部を壁部の内壁に密接させるようにしてもよい。【０１３３】  したがって、このような構成においても、スライドドア７３の停止位置（終端位置）において、スライドドア７３と空調ケース３との間を気密にシールすることが可能となるので、スライドドア７３の停止位置でスライドドア７３と空調ケース３との間の良好なシール状態を確保することが可能となる。【０１３４】  上述したシール構造の変形例はいろいろ可能であるが、図２８に示されるように、当接部６９にスライド方向に突設する突起８１を設け、シール部材７０の変形を促進させることで、シール部材７０をスライド方向と直角方向に効果的に変形させ、シール部材７０の側部を壁部８０の内壁に密接させるようにしてもよい。【０１３５】  また、図２９に示されるように、シール部材７０を、例えばエラストマーによって形成された球体部によって構成し、内部に空間８３を形成してスライド��向に力が加わった場合にそれと直角方向に容易に変形する構成とし、当接部６９との圧接時に壁部８０の内壁に密接させるようにしてもよい。【０１３６】  さらに、図３０に示されるように、シール部材７０を、例えばスライド方向と直交する方向に延設された蛇腹部８４とこの蛇腹部８４の中程から下方に突出する突当部８５とを備えた変形体によって構成し、内部に空間８６を形成して流体を密封し、突当部８５を押圧することで蛇腹部８４を側方に伸長させることができるようにし、スライドドア２３の停止位置で突当部８５が当接部６９に圧接された場合に、蛇腹部８４を壁部８０の内壁に密接させるようにしてもよい。【０１３７】  以上の構成は、スライド方向と直角方向にシール部材７０を膨出変形させることで壁部８０の内壁に密接させる構成であるが、図３１に示されるように、当接部６９の沿って両脇に設けられた壁部８０の互いに対峙する壁面を、シール部材が挿入する開口端から遠ざかるにつれて徐々に近接させるように形成することで、シール部材７０を壁部８０に対してスライド方向と異なる方向で圧接させるようにしてもよい。この例においては、片側の壁部８０の壁面を徐々に他方の壁部に近接させる曲面８７とすることで、シール部材７０を他方の壁部８０に押し付け、スライドドア２３の停止位置でスライドドア２３と空調ケース３との間を良好にシールするようにしている。【０１３８】  尚、上述した図２７乃至３１の構成においては、押圧変形部７０ａをシール部材７０の全体によって構成するようにしたが、シール部材７０の例えば端部などに部分的に形成するようにしてもよい。
【図１】
2004108449.tif 000003
【図２】
2004108449.tif 000004
【図３】
2004108449.tif 000005
【図４】
2004108449.tif 000006
【図５】
2004108449.tif 000007
【図６】
2004108449.tif 000008
【図７】
2004108449.tif 000009
【図８】
2004108449.tif 000010
【図９】
2004108449.tif 000011
【図１０】
2004108449.tif 000012
【図１１】
2004108449.tif 000013
【図１２】
2004108449.tif 000014
【図１３】
2004108449.tif 000015
【図１４】
2004108449.tif 000016
【図１５】
2004108449.tif 000017
【図１６】
2004108449.tif 000018
【図１７】
2004108449.tif 000019
【図１８】
2004108449.tif 000020
【図１９】
2004108449.tif 000021
【図２０】
2004108449.tif 000022
【図２１】
2004108449.tif 000023
【図２２】
2004108449.tif 000024
【図２３】
2004108449.tif 000025
【図２４】
2004108449.tif 000026
【図２５】
2004108449.tif 000027
【図２６】
2004108449.tif 000028
【図２７】
2004108449.tif 000029
【図２８】
2004108449.tif 000030
【図２９】
2004108449.tif 000031
【図３０】
2004108449.tif 000032
【図３１】
2004108449.tif 000033
【国際調査報告】
2004108449.tif 000034
2004108449.tif 000035